(57)【要約】【課題】  製造コストを低減することが可能なフィードホーン、電波受信用コンバータおよびアンテナを提供する。【解決手段】  この発明に従ったフィードホーンは、シャーシ本体１とカバー部材としての防水カバー４と誘電体アンテナ３とを備える。シャーシ本体１は開口部を有する導波管２を含む。防水カバー４は、開口部を覆うように、シャーシ本体１に接続される。防水カバー４は誘電体からなる。誘電体アンテナ３は、防水カバー４を介して開口部と対向するように配置される。【選択図】        図２
2006166301.tif 000002
【特許請求の範囲】
【請求項１】
開口部を有する導波管を含むシャーシ本体と、
前記開口部を覆うように、前記シャーシ本体に接続された誘電体からなるカバー部材と、
前記カバー部材を介して前記開口部と対向するように配置された誘電体アンテナとを備える、フィードホーン。
【請求項２】
前記カバー部材と前記誘電体アンテナとは同じ材料により構成されている、請求項１に記載のフィードホーン。
【請求項３】
前記カバー部材は、前記開口部の内周側に位置するインピーダンス整合部位を含む、請求項１または２に記載のフィードホーン。
【請求項４】
前記誘電体アンテナは、前記カバー部材に対して着脱可能に接続されている、請求項１〜３のいずれか１項に記載のフィードホーン。
【請求項５】
前記カバー部材にはカバー部材側ビス穴を形成し、
前記誘電体アンテナにおいて前記カバー部材側ビス穴と対向する部分には固定用ビスを挿入するためのアンテナ側ビス穴が形成され、
前記カバー部材側ビス穴および前記アンテナ側ビス穴に固定用ビスを挿入固定することにより、前記カバー部材と前記誘電体アンテナとは接続されている、請求項４に記載のフィードホーン。
【請求項６】
前記カバー部材と前記誘電体アンテナのいずれか一方に凸部を形成し、
前記カバー部材と前記誘電体アンテナのいずれか他方において、前記凸部と対向する部分に凹部を形成し、
前記凸部が前記凹部に嵌合することにより、前記カバー部材と前記誘電体アンテナとは接続されている、請求項４に記載のフィードホーン。
【請求項７】
請求項１〜６のいずれか１項に記載のフィードホーンを備える、電波受信用コンバータ。
【請求項８】
請求項７に記載の電波受信用コンバータを備えるアンテナ。
【発明の詳細な説明】
【技術分野】
【０００１】
この発明は、フィードホーン、電波受信用コンバータおよびアンテナに関し、より特定的には、誘電体アンテナを備えたフィードホーン、電波受信用コンバータおよびアンテナに関する。
【背景技術】
【０００２】
従来、衛星放送などの電波を受信するためのアンテナが知られている。当該アンテナには、電波受信用コンバータが設置されている。電波受信用コンバータを構成する部材として、導波管の開口端部に誘電体アンテナが接続されたフィードホーンが知られている（たとえば、特許文献１参照）。
【特許文献１】特開２００１−２１７６４４号公報
【発明の開示】
【発明が解決しようとする課題】
【０００３】
上記特許文献１では、導波管の開口端部の内周側に誘電体アンテナの一部分が圧入されることにより、誘電体が導波管に接続固定されている。
【０００４】
しかし、上述のような構造のフィードホーンでは、導波管の内周と、誘電体アンテナの上記一部分とについて高い寸法精度を維持しなければ、導波管と誘電体アンテナとの接続部の信頼性を保つことができない。また、周囲の温度の変化により、誘電体アンテナが熱膨張、あるいは熱収縮した場合、導波管と誘電体アンテナとの接続部の強度が変化することが考えられる。この場合も、上記接続部の信頼性が低下することになる。この結果、フィードホーンを含むコンバータ、さらにはこのコンバータを含むアンテナの信頼性が低下する可能性があった。そして、このような問題の発生を避けるため、発明者は、誘電体アンテナを覆うように配置されるカバー部材を誘電体アンテナに密着させることにより、誘電体アンテナを導波管側に押圧固定することを検討した。
【０００５】
ところが、この場合には誘電体アンテナの形状を変更するとカバー部材の形状も合わせて変更する必要がある。たとえば、開口角やＦＤ比の異なる２種類のパラボラアンテナにフィードホーンを搭載する場合、フィードホーンの放射パターンも２種類必要である。このため、誘電体アンテナの形状も２種類必要になる。また、カバー部材についても２種類必要になる。この結果、フィードホーンの製造に用いる金型の数が増え、フィードホーンの製造コストが増大する要因となっていた。
【０００６】
この発明は、上記のような課題を解決するためになされたものであり、この発明の目的は、製造コストを低減することが可能なフィードホーン、電波受信用コンバータおよびアンテナを提供することである。
【課題を解決するための手段】
【０００７】
この発明に従ったフィードホーンは、シャーシ本体とカバー部材と誘電体アンテナとを備える。シャーシ本体は開口部を有する導波管を含む。カバー部材は、開口部を覆うように、シャーシ本体に接続される。カバー部材は誘電体からなる。誘電体アンテナは、カバー部材を介して開口部と対向するように配置される。
【発明の効果】
【０００８】
本発明によれば、異なる形状の誘電体アンテナについてカバー部材を共用できる。この結果、誘電体アンテナの形状に適合するようにそれぞれ形状の異なるカバー部材を形成する場合より、フィードホーンの製造コストを低減できる。
【発明を実施するための最良の形態】
【０００９】
以下、図面に基づいて本発明の実施の形態を説明する。なお、以下の図面において同一または相当する部分には同一の参照番号を付しその説明は繰返さない。
【００１０】
図１は、本発明による衛星放送などの電波受信用アンテナの実施の形態を示す模式図である。図２は、図１に示したアンテナに用いられる電波受信用のコンバータを示す模式図である。図１および図２を参照して、本発明による誘電体フィードホーンを備えるコンバータおよび電波受信用アンテナ（以下、アンテナとも言う）を説明する。
【００１１】
図１に示すように、本発明によるアンテナ１０は、電波反射用のパラボラ部１１と、パラボラ部１１に接続されたアーム１２と、アーム１２の先端部に設置された電波受信用のコンバータ１３とを備える。コンバータ１３には、受信した電波（信号）をチューナやＢＳレシーバなどの他の機器へと伝送するためのケーブル１４が接続されている。このケーブル１４としてはたとえば同軸ケーブルを用いることができる。また、パラボラ部１１の背面側には、アンテナ１０を所定の場所へと配置固定するための固定用支持部材である支持アームが取付けられている。
【００１２】
図２に示すように、コンバータ１３は、シャーシ本体１と、このシャーシ本体１に接続された回路部６と、このシャーシ本体１に設けられた導波管２の開口部（前方開放端部）を塞ぐように設置された防水カバー４と、防水カバー４の前方（導波管２の開口部と防水カバー４を介して対向する位置）に設置された誘電体アンテナ３と、シャーシ本体１および回路部６を覆う外装部材としての外装キャビネット８とからなる。外装キャビネット８の下部は、図１に示したアーム１２の先端部と接続されている。また、回路部６には、図１に示したケーブル１４を接続するための出力端子７が形成されている。
【００１３】
防水カバー４は、導波管２の開口部を塞ぐとともに、導波管２が形成されたシャーシ本体１の側面上に延在する側壁部２２を含む。この側壁部２２の端部には、防水カバー４の内周側に突出した凸部である爪部２１が形成されている。そして、シャーシ本体１において、この防水カバー４の側壁部２２と対向する側壁（側面）の部分には、外側（中心軸２５から遠ざかる方向）へ突出した部分であるツバ部２０が形成されている。防水カバー４の爪部２１とシャーシ本体１のツバ部２０の側壁とが嵌合することにより（つまり爪部２１と、ツバ部２０の側壁とシャーシ本体１の外周壁面とから構成される凹部とが嵌合することにより）、防水カバー４はシャーシ本体１に対して固定されている。なお、爪部２１は、防水カバー４の側壁部２２の端部の全周に形成されていてもよいが、側壁部２２の端部の複数箇所（たとえば、２箇所、あるいは３箇所以上）に形成されていてもよい。また、シャーシ本体１側に凸部を形成し、防水カバー４側に凹部を形成してもよい。
【００１４】
このとき、複数の爪部２１は防水カバー４の側壁部２２の端部の円周方向において、等間隔に配置されていることが好ましい。また、シャーシ本体１のツバ部２０は、シャーシ本体１の側壁の全周に形成されていてもよいが、防水カバー４の爪部２１が複数箇所に形成されている場合には、当該爪部２１と対向する部分のみにツバ部２０を形成してもよい。また、シャーシ本体１のツバ部２０の前方（ツバ部２０において、防水カバー４の爪部２１の突起が接触した側壁と反対側に位置する側壁の側）には、シャーシ本体１の側壁の全周にわたって溝３０が形成されている。そして、この溝３０にはリングパッキング５が挿入されている。図２に示すように、防水カバー４をシャーシ本体１に接続固定した状態では、リングパッキング５が防水カバー４の内周面とシャーシ本体１の溝３０の内周面とのそれぞれに圧着した状態となる。その結果、リングパッキング５により、シャーシ本体１と防水カバー４とによって囲まれた内部の空間（導波管２の内側の空間）を、コンバータ１３の外側の空間から隔離することができる。この結果、導波管２の内部の空間について気密性を良好に保つことができる。
【００１５】
そして、この防水カバー４の前方側には凹形状部２３が形成されている。この凹形状部２３を覆うように、誘電体アンテナ３が配置されている。この誘電体アンテナ３は、防水カバー４と着脱可能な状態で配置されている。なお、防水カバー４に対する誘電体アンテナ３の接続方法は後述する。そして、誘電体アンテナ３と防水カバー４とは、互いに不整合が起らないように同一材料によって構成されていることが好ましい。たとえば、誘電体アンテナ３と防水カバー４とを構成する材料としては、ポリエチレン、ポリプロピレン、ポリスチレンおよびテフロン（登録商標）など用いることができる。上述した材料は、誘電体損（ｔａｎδ）が低いため、伝送損失を低く抑えることができる点で好ましい材料である。
【００１６】
このようにすれば、誘電体アンテナ３が防水カバー４の外側に着脱可能に設置されることにより、誘電体アンテナ３をパラボラアンテナの開口角やＦＤ比に適合するように任意に交換することが可能になる。この結果、汎用性のあるコンバータ１３を得ることができるので、コンバータ１３の製造コストを低減できる。
【００１７】
以下、本発明によるアンテナ１０およびコンバータ１３の効果について具体的に説明する。図９は、図１および図２に示したアンテナおよびコンバータの効果を説明するための比較例としてのコンバータを示す模式図である。図９に示したコンバータ１３は、基本的には図１および図２に示したコンバータ１３と同様の構造を備えるが、誘電体アンテナ３３および防水カバー４４の構造が異なっている。具体的には、図９に示したコンバータ１３では、導波管２の開口部を塞ぐように誘電体アンテナ３３が配置されている。そして、この誘電体アンテナ３３を覆うとともに、シャーシ本体１に接続された状態で防水カバー４が配置されている。なお、防水カバー４４とシャーシ本体１との接続部の構造は基本的に図１および図２に示したコンバータ１３におけるシャーシ本体１と防水カバー４との接続部の構造と同様である。つまり、図９に示したコンバータ１３では、防水カバー４の爪部２１とシャーシ本体１のツバ部２０の側壁とが嵌合することにより、防水カバー４がシャーシ本体１に対して固定される。そして、この防水カバー４４により導波管２側に押圧された状態で誘電体アンテナ３３が固定される。
【００１８】
図９に示したコンバータ１３では、上述のように防水カバー４を用いて、導波管２が形成されたシャーシ本体１に誘電体アンテナ３３を密着させて固定する。このため、誘電体アンテナ３３の形状を変更した場合には、防水カバー４４の形状も併せて変更する必要がある。そのため、たとえば開口角やＦＤ比の異なる２種類のパラボラアンテナのそれぞれにコンバータ１３を搭載する場合、フィードホーンの放射パターンも２種類が必要である。このため、放射パターンを異ならせるために誘電体アンテナ３３の形状も２種類必要となる。この場合、図９に示した比較例のコンバータ１３においては、誘電体アンテナ３３の形状を２種類作製するのみならず、防水カバー４４についても異なる形状の２種類の防水カバー４４が必要となる。その結果、防水カバー４４について金型作製費用などが必要となり、コンバータ１３の製造コストが増加することになっていた。
【００１９】
さらに、図９に示したコンバータ１３では、誘電体アンテナ３３の後部（導波管２の内部に面した側）にインピーダンス整合部位４５を設けている。この結果、誘電体アンテナ３３の肉厚が厚くなり、誘電体アンテナ３３の射出成形性が悪くなるという問題があった。このため、射出成形法を用いて誘電体アンテナ３３を製造する場合、製造された誘電体アンテナ３３において、表面の引けやその内部における気泡の発生といった不良が発生する可能性があった。
【００２０】
しかし、図１および図２に示した本発明によるコンバータ１３においては、防水カバー４の外側に誘電体アンテナ３を着脱可能に配置するため、開口角やＦＤ比の異なるパラボラアンテナにそれぞれ適合するような放射パターンを有するコンバータ１３を、誘電体アンテナ３の形状を変えるだけで（防水カバー４の形状はそのままで）容易に実現することができる。
【００２１】
また、図１および図２に示したコンバータ１３では、防水カバー４の後部（導波管２に面する側）に円錐状のインピーダンス整合部位４０を配置している。このようなインピーダンス整合部位４０を配置することで、導波管２と防水カバー４との間で生じる反射波の発生を抑制することができる。さらに、防水カバー４に、このようなインピーダンス整合部位４０を配置するため、誘電体アンテナ３にはインピーダンスの整合部位を別途設ける必要がない。この結果、誘電体アンテナ３の厚みを図９に示した誘電体アンテナ３３の厚みよりも薄くすることができる。この結果、誘電体アンテナ３の射出成形性を向上させることができる。
【００２２】
ここで、図１および図２に示したコンバータ１３において、誘電体アンテナ３と防水カバー４との接続部の構造は、誘電体アンテナ３を着脱可能に防水カバー４に接続することができれば、任意の構造を採用することができる。以下、この接続部の構造例を説明する。
【００２３】
図３は、図１および図２に示したコンバータ１３における誘電体アンテナ３と防水カバー４との接続部の構造の第１の例を示す断面模式図である。図４は、図３の矢印１５で示した方向から見た、コンバータにおける誘電体フィードホーンの前方部を示す正面図である。図３および図４を用いて、本発明によるコンバータの誘電体アンテナ３と防水カバー４との接続部の構造の第１の例を説明する。
【００２４】
図３および図４に示すように、本発明によるコンバータ１３の誘電体アンテナ３と防水カバー４との接続部の構造の第１の例では、樹脂からなるビスを用いて誘電体アンテナ３と防水カバー４とを着脱可能に接続固定する。具体的には、防水カバー４の外縁部４２にはビス９を挿入固定するためのビス穴４１が形成されている。ビス穴４１は、図４に示すように中心軸２５を中心として対称な位置に２つ形成されていてもよい。そして、誘電体アンテナ３においては、このビス穴４１と重なる位置に貫通孔である穴３１が形成されている。そして、防水カバー４のビス穴４１と誘電体アンテナ３の穴３１とが重なるように防水カバー４と誘電体アンテナ３とを配置する。この状態で、穴３１およびビス穴４１にビス９を挿入固定する。この結果、防水カバー４に対して誘電体アンテナ３を接続固定することができる。また、防水カバー４から誘電体アンテナ３を取外す場合には、このビス９を穴３１およびビス穴４１から取外せば、容易に誘電体アンテナ３を防水カバー４から取外すことができる。
【００２５】
なお、ビス９の配置は、図４に示したような２箇所には限られず、図５に示すように中心軸２５を中心として等間隔な位置の４箇所であってもよい。図５は、図３の矢印１５で示した方向から見た、コンバータにおける誘電体フィードホーンの前方部の他の例を示す正面図である。このとき、ビス９が配置される領域では、図３に示したように誘電体アンテナ３には貫通孔である穴３１が形成され、防水カバー４の外縁部４２にはビス穴４１が形成されている。また、このビス９の配置については、図５に示したような４箇所には限られず、３箇所あるいは５箇所以上と任意の数および配置を採用することができる。なお、ビス穴４１および穴３１の直径は２ｍｍ以上３ｍｍ以下であることが好ましい。
【００２６】
図６は、誘電体アンテナ３と防水カバー４との接続部の構造の第２の例を説明するための断面模式図である。図６は図３に対応する。図６を参照して、本発明によるコンバータにおける誘電体アンテナと防水カバーとの接続部の構造の第２の例を説明する。
【００２７】
図６に示したコンバータ１３のフィードホーン部は、基本的には図３に示したフィードホーンと同様に誘電体アンテナ３と防水カバー４とをプラスチック等の樹脂製のビス９を用いて接続固定している。しかし、図３に示したフィードホーン部とは、ビス９の配置が異なる。すなわち、防水カバー４においては、外縁部４２の外周側壁にビス穴４１が形成されている。このビス穴４１は、外縁部４２の側面４３から中心軸２５に向かう方向に延びている。また、誘電体アンテナ３は、防水カバー４の外縁部４２の側面４３上に延在する延在部２６を備えている。この延在部２６には、防水カバー４のビス穴４１に重なる位置に穴３１が形成されている。この穴３１も、誘電体アンテナ３の延在部２６から中心軸２５に向かう方向に延びるように形成されている。
【００２８】
そして、誘電体アンテナ３の穴３１と防水カバー４のビス穴４１とが重なるように、誘電体アンテナ３を防水カバー４の外側に配置する。そして、この穴３１およびビス穴４１にプラスチック製のビス９を挿入固定する。このようにして、防水カバー４と誘電体アンテナ３とを接続固定する。
【００２９】
図７は、本発明によるコンバータの誘電体アンテナ３と防水カバー４との接続部の構造の第３の例を説明するための断面模式図である。図７は図３に対応する。図７を参照して、本発明によるコンバータにおける誘電体アンテナ３と防水カバー４との接続部の構造の第３の例を説明する。
【００３０】
図７に示したコンバータ１３のフィードホーン部では、誘電体アンテナ３の外周後端に形成された爪部２９と防水カバー４の外周側面に形成された段差部２８とが嵌合することにより誘電体アンテナ３と防水カバー４とが着脱可能に接続固定されている。具体的には、防水カバー４の外周側壁に、中心軸２５を中心とした円周方向に延びるように溝状の凹部２７が形成されている。なお、この凹部２７は防水カバー４の外周側壁の全周ではなく、複数箇所に分散配置するように形成されていてもよい。
【００３１】
そして、誘電体アンテナ３には、防水カバー４の外周側壁上にまで延在する延在部２６が形成されている。この延在部２６の端部（導波管２側の端部）には、爪部２９（中心軸２５の方向に突出する爪部２９）が形成されている。そして、この爪部２９が、防水カバー４の外周側壁に形成された段差部２８（防水カバー４の外周側壁に形成された凹部２７の側壁と防水カバー４の外周側壁とにより形成される段差部２８）と嵌合することにより、誘電体アンテナ３が防水カバー４に着脱可能に固定されている。このようにすれば、ビスなどの別部材を必要とすることなく、容易に誘電体アンテナ３を防水カバー４へと接続固定することができる。なお、図７に示した構成とは逆に、誘電体アンテナ３に凹部を形成し、防水カバー４に凸部を形成して、当該凹部に凸部を勘合させることにより、防水カバー４に誘電体アンテナ３を接続固定してもよい。
【００３２】
図８は、本発明によるコンバータの誘電体アンテナ３と防水カバー４との接続部の構造の第４の例を説明するための断面模式図である。図８を参照して、この発明によるコンバータの誘電体アンテナ３と防水カバー４との接続部の構造の第４の例を説明する。
【００３３】
図８に示したコンバータにおいては、誘電体アンテナ３と防水カバー４とが互いに対向する面の間に両面テープなどの接着部材３５が配置されている。この接着部材３５により誘電体アンテナ３と防水カバー４とが接続固定されている。この接着部材３５の厚みとしては５０μｍ以下であることが好ましい。なお、接着部材３５としては、テープ状の基材の両面に接着層が形成された両面テープや、接着剤など、任意の部材を用いることができる。
【００３４】
また、上述した接続部の構造以外にも、誘電体アンテナ３と防水カバー４との接続部を熱圧着するなどの任意の接続方法を用いることができる。
【００３５】
また、上述したように誘電体アンテナ３を防水カバー４に接続固定するのではなく、誘電体アンテナ３をシャーシ本体１に接続してもよい。たとえば、誘電体アンテナ３において、防水カバー４の側壁上からシャーシ本体１の側壁上にまで延在する延在部を形成し、当該延在部の先端部とシャーシ本体１の側壁とを接続固定してもよい。その接続方法としては、上述したビスを用いた接続方法（図６参照）や凹部に凸部を勘合させる接続方法（図７参照）など、任意の接続方法を用いることができる。
【００３６】
次に、上記した実施の形態と重複するものもあるが本発明の特徴的な構成例を羅列的に挙げて説明する。
【００３７】
この発明に従ったフィードホーンは、シャーシ本体１とカバー部材としての防水カバー４と誘電体アンテナ３とを備える。シャーシ本体１は開口部を有する導波管２を含む。防水カバー４は、開口部を覆うように、シャーシ本体１に接続される。防水カバー４は誘電体からなる。誘電体アンテナ３は、防水カバー４を介して開口部と対向するように配置される。
【００３８】
このようにすれば、フィードホーンの放射パターンを変更するために誘電体アンテナ３の形状を変更する場合、誘電体アンテナ３における防水カバー４との接触部の形状を変更しなければ、防水カバー４については誘電体アンテナ３の形状変更前の構造をそのまま利用できる。つまり、異なる形状の誘電体アンテナ３について防水カバー４を共用できる。この結果、誘電体アンテナ３の形状に適合するようにそれぞれ形状の異なる防水カバー４を形成する場合より、金型費用などを低減できる。したがって、フィードホーンの製造コストを低減できる。
【００３９】
上記フィードホーンにおいて、防水カバー４と誘電体アンテナ３とは同じ材料により構成されていてもよい。この場合、防水カバー４と誘電体アンテナ３との間で不整合が起こることを防止できる。
【００４０】
上記フィードホーンにおいて、防水カバー４は、開口部の内周側に位置するインピーダンス整合部位４０を含んでいてもよい。上記フィードホーンにおいて、インピーダンス整合部位４０は、防水カバー４において開口部側の表面から導波管２の内周側に突出するように形成された、円錐形状部である。
【００４１】
この場合、導波管２と防水カバー４との間で生じる反射波の発生を低減させることができる。この結果、フィードホーンの放射特性の劣化を抑制できる。また、防水カバー４にインピーダンス整合部位４０を形成するので、誘電体アンテナ３にはこのようなインピーダンス整合部位を形成する必要がない。このため、誘電体アンテナ３の厚みがインピーダンス整合部位を形成することにより厚くなる事は無い。このため、誘電体アンテナ３の中央部での厚みを、たとえば８ｍｍ以下にすることができる。このように誘電体アンテナ３の中央部の厚みを８ｍｍ以下としておけば、もし誘電体アンテナ３の中央部において製造時に気泡が発生しても、当該気泡の直径は３ｍｍ以下程度になる。そして、３ｍｍ以下の直径の気泡であれば、フィードホーンの放射特性に対する影響は少なく、当該放射特性の劣化を抑制できる。
【００４２】
上記フィードホーンにおいて、誘電体アンテナ３は、防水カバー４に対して着脱可能に接続されていることが好ましい。この場合、誘電体アンテナ３を取り替えることにより、異なる種類の誘電体アンテナ３を備えるフィードホーンを容易に実現できる。
【００４３】
図３や図６に示すように、上記フィードホーンにおいて、防水カバー４にはカバー部材側ビス穴としてのビス穴４１を形成してもよく、誘電体アンテナ３においてビス穴４１と対向する部分には固定用ビスとしてのビス９を挿入するためのアンテナ側ビス穴としての穴３１を形成してもよい。ビス穴４１および穴３１にビス９を挿入固定することにより、防水カバー４と誘電体アンテナ３とは接続されていてもよい。この場合、ビス９によって防水カバー４と誘電体アンテナ３とを容易に接続固定することができる。また、ビス９を取外せば、防水カバー４から誘電体アンテナ３を容易に取外すこともできる。
【００４４】
図３〜図６に示すように、上記フィードホーンにおいて、ビス穴４１および穴３１は、誘電体アンテナ３側から導波管２の開口部を見た場合に開口部と重ならない位置（外縁部４２）に配置されることが好ましい。この場合、ビス９が配置されることに起因して、フィードホーンの放射特性が変化する程度を小さくできる。
【００４５】
上記ビス９は、樹脂により構成されていることが好ましい。この場合、金属製のビスを用いる場合より、フィードホーンの放射特性に与える影響を小さくできる。
【００４６】
上記フィードホーンにおいて、図７に示すように、防水カバー４と誘電体アンテナ３のいずれか一方に凸部としての爪部２９を形成してもよい。また、防水カバー４と誘電体アンテナ３のいずれか他方において、爪部２９と対向する部分に凹部２７を形成してもよい。爪部２９が凹部２７に嵌合することにより、防水カバー４と誘電体アンテナ３とは接続されていることが好ましい。この場合、固定用ビスなどの別部材を用いることなく、誘電体アンテナ３を防水カバー４に接続できる。このため、フィードホーンの製造コストの増大を抑制できる。
【００４７】
上記フィードホーンにおいて、爪部２９および凹部２７は、導波管２の側壁上に位置する部分に形成されていることが好ましい。この場合、爪部２９および凹部２７がフィードホーンの放射特性に影響を与える可能性を低減できる。
【００４８】
この発明に従った電波受信用コンバータは、上記フィードホーンを備える。このようにすれば、製造コストを抑制可能なフィードホーンを用いるので、結果的に電波受信用コンバータの製造コストも低減できる。
【００４９】
この発明に従ったアンテナは、上記電波受信用コンバータを備える。このようにすれば、製造コストの低い電波受信用コンバータを用いるので、結果的にアンテナの製造コストを低減できる。
【００５０】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【図面の簡単な説明】
【００５１】
【図１】本発明による衛星放送などの電波受信用アンテナの実施の形態を示す模式図である。
【図２】図１に示したアンテナに用いられる電波受信用のコンバータを示す模式図である。
【図３】図１および図２に示したコンバータにおける誘電体アンテナと防水カバーとの接続部の構造の第１の例を示す断面模式図である。
【図４】図３の矢印で示した方向から見た、コンバータにおける誘電体フィードホーンの前方部を示す正面図である。
【図５】図３の矢印で示した方向から見た、コンバータにおける誘電体フィードホーンの前方部の他の例を示す正面図である。
【図６】誘電体アンテナと防水カバーとの接続部の構造の第２の例を説明するための断面模式図である。
【図７】本発明によるコンバータの誘電体アンテナと防水カバーとの接続部の構造の第３の例を説明するための断面模式図である。
【図８】本発明によるコンバータの誘電体アンテナと防水カバーとの接続部の構造の第４の例を説明するための断面模式図である。
【図９】図１および図２に示したアンテナおよびコンバータの効果を説明するための比較例としてのコンバータを示す模式図である。
【符号の説明】
【００５２】
１  シャーシ本体、２  導波管、３  誘電体アンテナ、４，４４  防水カバー、５  リングパッキング、６  回路部、７  出力端子、８  外装キャビネット、９  ビス、１０  アンテナ、１１  パラボラ部、１２  アーム、１３  コンバータ、１４  ケーブル、１５  矢印、２０  ツバ部、２１  爪部、２２  側壁部、２３  凹形状部、２５  中心軸、２６  延在部、２７  凹部、２８  段差部、２９  爪部、３０  溝、３１  穴、３３  誘電体アンテナ、３５  接着部材、４０，４５  インピーダンス整合部位、４１  ビス穴、４２  外縁部、４３  側面。
【図１】
2006166301.tif 000003
【図２】
2006166301.tif 000004
【図３】
2006166301.tif 000005
【図４】
2006166301.tif 000006
【図５】
2006166301.tif 000007
【図６】
2006166301.tif 000008
【図７】
2006166301.tif 000009
【図８】
2006166301.tif 000010
【図９】
2006166301.tif 000011